(57)【要約】【課題】「食」に関連する空間を重視した快適空間を実現できる建物を提供すること。【解決手段】建物１は、ダイニングキッチン５の床面５ａに設置されたキッチンセット１２と、キッチンセット１２に対向して床面５ａに設置されたテーブル１３と、平坦な天板１５ａを有した可動式の作業台１５と、を備え、テーブル１３は、キッチンセット１２の端部１２ｘよりも、キッチンセット１２に対向する方向に対して交差する方向に後退して設置されており、床面５ａには、キッチンセット１２とテーブル１３との間のキッチン領域Ｋと、テーブル１３の後退によって形成された作業領域Ｗとが形成されており、作業台１５は、キッチン領域Ｋ及び作業領域Ｗに配置可能である。【選択図】図１
2016199925.tif 000002
【特許請求の範囲】
【請求項１】
ダイニングキッチンの床面に設置されたキッチンセットと、
前記キッチンセットに対向して前記床面に設置されたテーブルと、
平坦な天板を有した可動式の作業台と、を備え、
前記テーブルは、前記キッチンセットの端部よりも、前記キッチンセットに対向する方向に対して交差する方向に後退して設置されており、
前記床面には、前記キッチンセットと前記テーブルとの間のキッチン領域と、前記テーブルの後退によって形成された作業領域とが形成されており、
前記作業台は、前記キッチン領域及び前記作業領域に配置可能である、建物。
【請求項２】
前記作業台の前記天板は、平面視矩形状であって、
平面視した際の短辺の長さが、前記キッチン領域における前記キッチンセット及び前記テーブルの間の長さ、並びに、前記作業領域において前記テーブルが前記交差する方向に後退している長さよりも短い、請求項１記載の建物。
【請求項３】
前記作業台の前記天板は、着座可能な大きさとされている、請求項２記載の建物。
【請求項４】
前記着座可能な大きさとは、平面視した際の一辺の長さが６００ｍｍ以上１８００ｍｍ未満であり、他辺の長さが９００ｍｍ以上１８００ｍｍ未満である、請求項３記載の建物。
【請求項５】
前記作業領域において前記テーブルが前記交差する方向に後退している長さは、前記キッチン領域における前記キッチンセット及び前記テーブルの間の長さよりも長い、請求項３又は４記載の建物。
【請求項６】
前記テーブルは、前記床面との間に収容スペースを有しており、
前記作業台の高さは、前記収容スペースの高さよりも低い、請求項１〜５のいずれか一項記載の建物。
【請求項７】
前記ダイニングキッチンは、外部土間と近接している、請求項１〜６のいずれか一項記載の建物。
【請求項８】
前記ダイニングキッチンと前記外部土間との間には、外周壁が設けられており、
前記外周壁には、前記ダイニングキッチンと前記外部土間とを行き来するための出入り口が形成されている、請求項７記載の建物。
【請求項９】
前記床面は、前記出入り口を介して前記外部土間の床面と無段差で連続している、請求項８記載の建物。
【請求項１０】
前記作業台の前記天板の表面は、タイル、石、コンクリート、モルタル、土、畳、及び麻の少なくともいずれか１つを含んで構成されている、請求項１〜９のいずれか一項記載の建物。
【発明の詳細な説明】
【技術分野】
【０００１】
本発明は、キッチンセットが配置された建物に関する。
【背景技術】
【０００２】
現代の家庭では「食」に関連する行為の在宅時間に占める割合が多い。その中でも調理に関係する行為は、就寝時間を除いて平均でも２２％を超えると言われている。しかしな
がら、現状の住空間において、調理に関連する空間の占める割合は、５％程度に留まっており、またキッチン領域はシステムタイプのキッチンセットを一定の空間内に収め、立働きのみを想定したものが定着し、その選択肢は限られている。今後、より「食」にまつわる時間は暮らしの大切な時間の中の多くを占めていくと思われ、キッチン領域と食事空間、居間空間の融合により「食」の空間を重視した空間の提案が望まれている。例えば、特許文献１には、ペニンシュラ型のキッチンセットの対面に食卓セットが配置された住宅が記載されている。
【先行技術文献】
【特許文献】
【０００３】
【特許文献１】特開２０１０−２５５２９３号公報
【特許文献２】特開２０００−２５７２７９号公報
【発明の概要】
【発明が解決しようとする課題】
【０００４】
しかしながら、特許文献１に記載された住宅（建物）では、「食」に関連する空間の配置は、極めて一般的な構成に過ぎず、キッチン領域はダイニングテーブルに代表される食事空間や家族がすごす居間空間とは隔てられた構成で、「食」に関連する空間を重視した空間の提案としては不十分であり、更なる工夫の余地があった。また、特許文献２に記載された住宅では、キッチン領域とダイニングテーブルは同一の空間にあるが、居間空間とは小さな開口のある壁面で隔てられた構成であり、これも「食」に関連する空間を重視した空間提案としては不十分である。
【０００５】
本発明は、このような課題を解決するものであり、「食べる・つくる」行為を大切に考える家族のために、「食」に関連する空間を重視した快適空間を実現できる建物を提供することを目的とする。
【課題を解決するための手段】
【０００６】
本発明に係る建物は、ダイニングキッチンの床面に設置されたキッチンセットと、キッチンセットに対向して床面に設置されたテーブルと、平坦な天板を有した可動式の作業台と、を備え、テーブルは、キッチンセットの端部よりも、キッチンセットに対向する方向に対して交差する方向に後退して設置されており、床面には、キッチンセットとテーブルとの間のキッチン領域と、テーブルの後退によって形成された作業領域とが形成されており、作業台は、キッチン領域及び作業領域に配置可能である。
【０００７】
本発明では、可動式の作業台が、キッチンセットとテーブルとの間のキッチン領域と、テーブルの後退によって形成された作業領域とに配置可能とされている。作業台がキッチン領域に配置された場合には、例えばキッチンセットとテーブルとの間で配膳作業を行ったり、食後の片づけを行ったりする際に作業台を有効に活用することができる。また、作業台が作業領域に配置された場合には、例えばキッチン領域を空きスペースとしながら、作業領域において作業台での作業を行うことができる。作業台は平坦な天板を有しているため、当該天板を用いて力を入れた作業を行うことができる。これにより、キッチンセット周りで行われる調理作業等に係るスペースを確保しつつ、力を使う作業を作業台で行うことができる。すなわち、通常の調理作業等の邪魔になることなく、作業台を用いた特殊な作業を行うことができる。また、当該作業台で調理作業が行われることにより、普段キッチンでの調理作業を行わない家族も含めて、家族一体で調理作業を行うことができる。このように、キッチン領域及び作業領域において、平坦な天板を有した作業台が用いられることにより、必要となる作業を適切に行いながら、家族一体となって調理作業を行うことができる。以上により、「食べる・つくる」行為を大切に考える家族のために、「食」に関連する空間を重視した快適空間を実現することができる。
【０００８】
また、作業台の天板は、平面視矩形状であって、平面視した際の短辺の長さが、キッチン領域におけるキッチンセット及びテーブルの間の長さ、並びに、作業領域においてテーブルが交差する方向に後退している長さよりも短くてもよい。これにより、作業台はキッチン領域及び作業領域を確実に通過することが可能となる。
【０００９】
また、作業台の天板は、着座可能な大きさとされていてもよい。これにより、天板に座った状態で力を入れた作業を行うことができる。また、当該作業台を用いることにより、座りながら気軽に調理に参加することができるので、家族一体での調理作業をより好適に行うことができる。
【００１０】
また、着座可能な大きさとは、平面視した際の一辺の長さが６００ｍｍ以上１８００ｍｍ未満（より好ましくは６００ｍｍ以上１０００ｍｍ未満）であり、他辺の長さが９００ｍｍ以上１８００ｍｍ未満であってもよい。これにより、作業台での作業を適切に行うことができる。例えば、作業台の広さを、胡坐を組んで座りながら、道具等を周囲における程度とすることができる。また、作業台が当該大きさとされることにより、作業台の移動を好適に行うことができる。
【００１１】
また、作業領域においてテーブルが交差する方向に後退している長さは、キッチン領域におけるキッチンセット及びテーブルの間の長さよりも長くてもよい。これにより、キッチンセットから離れた作業領域としてより広い作業空間を確保することができ、例えば通常の調理作業とは異なる力のいる作業等を広い作業空間で好適に行うことができる。
【００１２】
また、テーブルは、床面との間に収容スペースを有しており、作業台の高さは、収容スペースの高さよりも低くてもよい。これにより、作業台をテーブルの収容スペースに収容することができる。収容スペースに作業台を収容することで、ダイニングキッチンの省スペース化を実現することができる。また、当該収容スペースは、キッチン領域及び作業領域に近い位置に設けられているので、収容スペースに収容された作業台をキッチン領域及び作業領域に容易に移動させることができる。これにより、作業台をより簡易に使用することができる。
【００１３】
また、ダイニングキッチンは、外部土間と近接していてもよい。これにより、作業台を外部土間から屋外にまで移動させることが可能となり、作業台を用いて屋外で作業を行うことが可能となる。
【００１４】
また、ダイニングキッチンと外部土間との間には、外周壁が設けられており、外周壁には、ダイニングキッチンと外部土間とを行き来するための出入り口が形成されていてもよい。外周壁に形成された出入り口を利用することにより、作業台を外部土間から屋外に確実に移動させることができる。
【００１５】
また、床面は、出入り口を介して外部土間の床面と無段差で連続していてもよい。これにより、作業台を外部土間から屋外により好適に移動させることができる。
【００１６】
また、作業台の天板の表面は、タイル、石、コンクリート、モルタル、土、畳、及び麻の少なくともいずれか１つを含んで構成されていてもよい。これにより、作業台の強度及び重量等が好適となり、作業台での作業及び作業台の移動を確実に行うことができる。
【発明の効果】
【００１７】
本発明によれば、「食」に関連する空間を重視した快適空間を実現できる。
【図面の簡単な説明】
【００１８】
【図１】本発明の実施形態に係る建物の１階部分における平面図である。
【発明を実施するための形態】
【００１９】
以下、本発明の実施形態について図面を参照しながら説明する。なお、図面の説明において同一の要素には同一の符号を付し、重複する説明を省略する。本実施形態では、部屋等の配置説明を容易にするため、図１の右方向を北側として説明する。
【００２０】
図１に示される建物１は、平面視で略矩形状に形成された外周壁２によって囲まれた２階建ての住宅用建物である。図１に示されるように、建物１の１階には、玄関土間３、ダイニングキッチン５、及び１階床上げコーナー７が設けられている。玄関土間３は、１階の北東の角部に設けられている。玄関土間３の北側には、玄関ドア３ａが設けられている。ダイニングキッチン５は、玄関土間３の西側に位置している。ダイニングキッチン５及び玄関土間３の間には玄関ホール４が設けられている。また、１階床上げコーナー７は、ダイニングキッチン５の南側に隣接するようにして１階の南西の角部に設けられている。
【００２１】
ダイニングキッチン５における北側の玄関ホール４との境界付近には、パントリー６が設けられている。また、１階の東側には、浴室８、洗面所９、トイレ１０、及び収納１１が設けられている。浴室８は、１階の南東の角部に位置している。浴室８の北側に洗面所９が、洗面所９の北側にトイレ１０が、トイレ１０の北側に収納１１が、それぞれ位置している。
【００２２】
ダイニングキッチン５の床面５ａには、平面視矩形状のキッチンセット１２が設置されている。キッチンセット１２は、壁付直線タイプであり、西側外周壁２ａに沿って南北に延びている。キッチンセット１２の長手方向である南北方向の長さは、例えば２７０ｍｍ〜５４０ｍｍ（より好ましくは３６０ｍｍ〜５４０ｍｍ）とされている。
【００２３】
キッチンセット１２の長手方向略中央には、ガスコンロなどの加熱調理機が設置された加熱調理部１２ａが設けられている。また、北側の端部には流し台や蛇口などが配置された流し台部１２ｂが設けられている。更に、南側の端部には延長カウンター部１２ｃが設けられている。延長カウンター部１２ｃは、ダイニングキッチン５から１階床上げコーナー７にまで達している。キッチンセット１２を壁付直線タイプとし、更に延長カウンター部１２ｃを設けることにより、調理作業領域をダイニングキッチン５から１階床上げコーナー７にまで広げることができ、「食」に関連する空間を重視した配置とすることができる。
【００２４】
また、床面５ａには、平面視矩形状のテーブル１３が設置されている。テーブル１３は、ダイニングキッチン５の略中央部分に配置されている。テーブル１３は平面視矩形状の天板１３ａと天板１３ａを支持する支持台とを備えている。テーブル１３は、テーブル１３の短手方向である東西方向において、キッチンセット１２に対向して設置されている。テーブル１３は、キッチンセット１２に並行するように、南北方向に延びている。テーブル１３の長手方向である南北方向の長さは、キッチンセット１２の長手方向の長さよりも短く、例えば２００ｍｍ〜３８０ｍｍ（より好ましくは２４０ｍｍ〜３８０ｍｍ）とされている。
【００２５】
床面５ａにおける、キッチンセット１２とテーブル１３との間には、キッチン領域Ｋが形成されている。キッチン領域Ｋは、作業者の立姿勢での作業利便性を考慮した空間とされており、キッチンセット１２及びテーブル１３間の長さである幅寸法Ｌ１は、例えば７００ｍｍ〜２０００ｍｍ（より好ましくは７００ｍｍ〜１２００ｍｍ）とされている。当該幅寸法Ｌ１が、キッチン領域Ｋにおけるキッチンセット１２及びテーブル１３間の長さである。キッチン領域Ｋにおいて調理を行う場合には、流し台部１２ｂ及び加熱調理部１２ａに対して対向配置されたテーブル１３を用いることができるので、調理作業動線の効率性を向上させることができる。
【００２６】
テーブル１３は、ダイニングキッチン５の床面５ａに固定されている。テーブル１３は、床面５ａと天板１３ａとの間に、支持台が設けられていない空間である収容スペースａｓを有している。当該収容スペースａｓには、後述する作業台１５が収容可能とされている。
【００２７】
テーブル１３は、キッチンセット１２の南側の端部１２ｘよりも、北側に後退して設置されている。すなわち、テーブル１３の南側の端部１３ｘは、キッチンセット１２の南側の端部１２ｘよりも、キッチンセット１２に対向する方向に対して交差する方向に後退して設置されている。これにより、床面５ａにおける、テーブル１３の西側の端部１３ｘの南側延長上であってキッチンセット１２と対向する領域には、テーブル１３の後退によって形成された作業領域Ｗが形成されている。
【００２８】
キッチンセット１２では、端部１２ｘを含む延長カウンター部１２ｃが１階床上げコーナー７に達している。そのため、テーブル１３の後退によって形成される領域には、１階床上げコーナー７の領域が含まれる。しかし、作業領域Ｗは、床面５ａに形成される領域であるので、テーブル１３の後退によって形成される領域であっても１階床上げコーナー７の領域を含まない。テーブル１３が北側に後退している長さ、すなわちキッチンセット１２の南側の端部１２ｘからみてテーブルの南側の端部１３ｘが北側に後退している長さＬ２は、例えば９００ｍｍ〜２４００ｍｍとされている。また、床面５ａにおいてテーブル１３が北側に後退している長さ、すなわち１階床上げコーナー７の北側の端部７ｘからみてテーブルの南側の端部１３ｘが北側に後退している長さである幅寸法Ｌ３は、例えば７００ｍｍ〜２０００ｍｍとされている。当該幅寸法Ｌ３が、作業領域Ｗにおいてテーブル１３が北側に後退している長さである。幅寸法Ｌ３は、上述した幅寸法Ｌ１と同じか、幅寸法Ｌ１よりも長い。
【００２９】
テーブル１３に沿うようにして椅子１４が配置されている。椅子１４は、例えばテーブル１３の西側に２個、東側に２個配置されている。西側に配置される椅子１４は、キッチン領域Ｋのうち、加熱調理部１２ａ及び流し台部１２ｂに対向しない位置に配置されることが好ましい。これにより、キッチン領域Ｋのうち特に調理作業で利用される加熱調理部１２ａ及び流し台部１２ｂ周りの空間を確保することができ、調理作業性を向上させることができる。なお、椅子１４は、自由に移動させることができる。
【００３０】
また、床面５ａには、平坦な天板１５ａを有した可動式の作業台１５が配置されている。作業台１５は、例えば四輪キャスターにより床面５ａを移動可能とされている。天板１５ａは、平面視矩形状とされており、着座可能な大きさとされている。天板１５ａの大きさは、例えば人が胡坐を組んで座ることができる程度の大きさであり、具体的には、平面視した際の一辺の長さが６００ｍｍ以上１８００ｍｍ未満（より好ましくは６００ｍｍ以上１０００ｍｍ未満）、他辺の長さが９００ｍｍ以上１８００ｍｍ未満とされている。本実施形態では、天板１５ａは平面視長方形状とされており、短辺１５ｂの長さが、上述した幅寸法Ｌ１及び幅寸法Ｌ３よりも短くされている。すなわち、天板１５ａの短辺１５ｂの長さは、キッチン領域Ｋにおけるキッチンセット１２及びテーブル１３間の長さよりも短く、且つ、作業領域Ｗにおいてテーブル１３が東側に後退している長さよりも短い。短辺１５ｂの長さが、上述した幅寸法Ｌ１及び幅寸法Ｌ３よりも短いので、作業台１５は、キッチン領域Ｋ及び作業領域Ｗの双方を通過可能であり、且つ、キッチン領域Ｋ及び作業領域Ｗの双方に配置可能である。
【００３１】
天板１５ａの表面は、タイル、石、コンクリート、モルタル、土等の無機質材料を含んでで構成されている。或いは、天板１５ａの表面は、畳、麻等の植物系材料を含んで構成されていてもよい。
【００３２】
作業台１５の高さは、上述したテーブル１３の収容スペースａｓの高さよりも低い。より詳細には、床面５ａから天板１５ａの上面までの高さが、床面５ａからテーブル１３の天板１３ａの下面までの高さよりも低い。具体的には、床面５ａから天板１５ａの上面までの高さは、床面５ａからテーブル１３の天板１３ａまでの高さより、３５０ｍｍ±５０ｍｍ程度低くされる。作業台１５は、テーブル１３の前に移動することで、椅子として用いることができる。
【００３３】
また、ダイニングキッチン５は、外部土間１６と近接しており、ダイニングキッチン５に面する北側外周壁２ｂには、ダイニングキッチン５と外部土間１６とを行き来するためのサッシ窓１６ａ（出入り口）が設けられている。つまり、ダイニングキッチン５が外部土間１６とサッシ窓１６ａで結ばれているため、屋外菜園からの泥付野菜を持ち込んだり、外部で購入した食品・食材を持ち込んだりすることが容易である。また、ダイニングキッチン５の床面５ａは、サッシ窓１６ａを介して外部土間１６の床面１６ｂに無段差で連続していることが好ましい。
【００３４】
次に、上記の実施形態に係る建物１の効果について説明する。本実施形態に係る建物１では、可動式の作業台１５が、キッチンセット１２とテーブル１３との間のキッチン領域Ｋと、テーブル１３の後退によって形成された作業領域Ｗとに配置可能とされている。
【００３５】
作業台１５がキッチン領域Ｋに配置された場合には、例えばキッチンセット１２とテーブル１３との間で配膳作業を行ったり、食後の片づけを行ったりする際に作業台１５を有効に活用することができる。具体的には、作業台１５を調理材料及び道具を広げる場所としたり、荷物の仮置き場所にすることができる。また、作業台１５が作業領域Ｗに配置された場合には、例えばキッチン領域Ｋを空きスペースとしながら、作業領域Ｗにおいて作業台１５での作業を行うことができる。作業台１５は平坦な天板１５ａを有しているため、当該天板１５ａを用いて力を入れた作業を行うことができる。これにより、キッチンセット１２周りで行われる調理作業等に係るスペースを確保しつつ、力を使う作業を作業台１５で行うことができる。すなわち、通常の調理作業等の邪魔になることなく、作業台１５を用いた特殊な作業を行うことができる。また、当該作業台１５で調理作業が行われることにより、普段キッチンでの調理作業を行わない家族も含めて、家族一体で調理作業を行うことができる。
【００３６】
このように、キッチン領域Ｋ及び作業領域Ｗにおいて、平坦な天板１５ａを有した作業台１５が用いられることにより、必要となる作業を適切に行いながら、家族一体となって調理作業を行うことができる。以上により、「食べる・つくる」行為を大切に考える家族のために、「食」に関連する空間を重視した快適空間を実現することができる。
【００３７】
また、作業台１５の天板１５ａは平面視矩形状であって、平面視した際の短辺の長さが、キッチン領域Ｋにおけるキッチンセット１２及びテーブル１３間の長さである幅寸法Ｌ１、並びに、作業領域Ｗにおいてテーブル１３が北側に後退している長さである幅寸法Ｌ３よりも短い。これにより、作業台１５はキッチン領域Ｋ及び作業領域Ｗを確実に通過することができる。なお、作業台１５の長辺の長さを幅寸法Ｌ１及び幅寸法Ｌ３よりも短くすることにより、作業台１５がキッチン領域Ｋと作業領域Ｗとを自由に移動することが可能となる。
【００３８】
また、作業台１５の天板１５ａは、着座可能な大きさとされている。このため、天板１５ａに座ったり、膝立ちの状態で力を入れた作業を行うことができる。また、当該作業台を用いることにより、座りながら気軽に調理に参加することができるので、家族一体での調理作業をより好適に行うことができる。
【００３９】
また、着座可能な大きさとは、平面視した際の一辺の長さが６００ｍｍ以上１８００ｍｍ未満であり、他辺の長さが９００ｍｍ以上１８００ｍｍ未満である。これにより、作業台１５での作業を適切に行うことができる。例えば、作業台１５の広さを、胡坐を組んで座りながら、道具等を周囲における程度とすることができる。また、作業台１５が当該大きさとされることにより、作業台１５の移動を好適に行うことができる。
【００４０】
また、作業領域Ｗにおいてテーブル１３が東側に後退している長さである幅寸法Ｌ３は、キッチン領域Ｋにおけるキッチンセット１２及びテーブル１３間の長さである幅寸法Ｌ１よりも長い。これにより、キッチンセット１２から離れた作業領域Ｗとしてより広い作業空間を確保することができ、例えば通常の調理作業とは異なる力のいる作業等を広い作業空間で好適に行うことができる。
【００４１】
また、テーブル１３は、床面５ａとの間に収容スペースａｓを有しており、作業台１５の高さは、収容スペースａｓの高さよりも低い。これにより、作業台１５をテーブル１３の収容スペースａｓに収容することができる。収容スペースａｓに作業台１５を収容することで、ダイニングキッチン５の省スペース化を実現することができる。また、当該収容スペースａｓは、キッチン領域Ｋ及び作業領域Ｗに近い位置に設けられているので、収容スペースａｓに収容された作業台１５をキッチン領域Ｋ及び作業領域Ｗに容易に移動させることができる。これにより、作業台１５をより簡易に使用することができる。
【００４２】
また、ダイニングキッチン５は、外部土間１６と近接している。これにより、作業台１５を外部土間１６から屋外にまで移動させることが可能となり、作業台１５を用いて屋外で作業を行うことが可能となる。
【００４３】
また、ダイニングキッチン５と外部土間１６との間には、北側外周壁２ｂが設けられており、北側外周壁２ｂには、ダイニングキッチン５と外部土間１６とを行き来するためのサッシ窓１６ａが形成されている。北側外周壁２ｂに形成されたサッシ窓１６ａを利用することにより、作業台１５を外部土間１６から屋外に確実に移動させることができる。
【００４４】
また、床面５ａは、サッシ窓１６ａを介して外部土間１６の床面１６ｂと無段差で連続している。これにより、作業台１５を外部土間１６から屋外により好適に移動させることができる。
【００４５】
また、作業台１５の天板１５ａの表面は、タイル、石、コンクリート、モルタル、土、畳、及び麻の少なくともいずれか１つを含んで構成されている。これにより、作業台１５の強度及び重量等が好適となり、作業台１５での作業及び作業台１５の移動を確実に行うことができる。
【００４６】
以上、本発明の好適な実施形態について説明したが、本発明は上記実施形態に限定されない。例えば、キッチンセット、テーブル、及び作業台がそれぞれ平面視矩形状である例を説明したがこれに限定されない。例えば、作業台は平面視円形であってもよい。
【００４７】
また、テーブルの長さがキッチンセットの長さよりも短いとして説明したがこれに限定されない。すなわち、テーブルがキッチンセットよりも後退していることによって作業領域が形成されていれば、テーブルの長さがキッチンセットの長さよりも長くてもよい。
【符号の説明】
【００４８】
１…建物、２ｂ…北側外周壁（外周壁）、５…ダイニングキッチン、５ａ…床面、１２…キッチンセット、１２ｘ…端部、１３…テーブル、１５…作業台、１５ａ…天板、１５ｂ…短辺、１６…外部土間、１６ａ…サッシ窓（出入り口）、１６ｂ…床面、ａｓ…収容スペース、Ｋ…キッチン領域、Ｗ…作業領域、Ｌ１…幅寸法（キッチン領域におけるキッチンセット及びテーブルの間の長さ）、Ｌ３…幅寸法（作業領域においてテーブルが交差する方向に後退している長さ）
【図１】
2016199925.tif 000003